(57)【要約】【課題】連続して再生されるコンテンツどうしの繋がりを意識した再生順序を容易に作成することができるコンテンツ再生装置２０を提供する。【解決手段】複数のコンテンツを記憶するコンテンツ記憶部２７と、複数のコンテンツの再生順序を規定する再生情報を記憶する再生情報記憶部２３と、再生情報で規定される再生順序で、対応するコンテンツを順次再生するコンテンツ再生部２１と、コンテンツを特定するコンテンツ特定部２５と、特定されたコンテンツを含む複数のコンテンツの再生順序を変更し、変更後の再生順序を規定する再生情報を、再生情報記憶部２３に記憶させる再生順序変更部２４と、再生順序が変更された場合に、コンテンツ特定部２５によって特定されたコンテンツの前に再生されるコンテンツおよび後に再生されるコンテンツの、少なくともいずれか一方を再生する部分再生部２２とを備える。【選択図】図１
2011233182.tif 000002
【特許請求の範囲】
【請求項１】
コンテンツを再生する再生装置であって、
複数のコンテンツを記憶するコンテンツ記憶部と、
複数のコンテンツの再生順序を規定する再生情報を記憶する再生情報記憶部と、
前記再生情報で規定される再生順序で、対応するコンテンツを前記コンテンツ記憶部から読み出して順次再生するコンテンツ再生部と、
ユーザからの指示に応じてコンテンツを特定するコンテンツ特定部と、
前記コンテンツ特定部によって特定されたコンテンツを含む複数のコンテンツの再生順序を変更し、変更後の再生順序を規定する再生情報を、前記再生情報記憶部に記憶させる再生順序変更部と、
前記再生情報で規定される再生順序が変更された場合に、当該再生順序において、前記コンテンツ特定部によって、前記ユーザからの指示に応じて特定されたコンテンツの前に再生されるコンテンツおよび後に再生されるコンテンツの、少なくともいずれか一方を再生する部分再生部と
を備えることを特徴とする再生装置。
【請求項２】
請求項１に記載の再生装置であって、
前記部分再生部は、
前記コンテンツ特定部によって、前記ユーザからの指示に応じて特定されたコンテンツの前に再生されるコンテンツおよび後に再生されるコンテンツについて、
コンテンツの冒頭、コンテンツの末尾、またはコンテンツの特徴的な部分を再生することを特徴とする再生装置。
【請求項３】
請求項１または２に記載の再生装置であって、
前記部分再生部は、
前記コンテンツ特定部によって、前記ユーザからの指示に応じて特定されたコンテンツの前に再生されるコンテンツについては末尾を、前記コンテンツ特定部によって、前記ユーザからの指示に応じて特定されたコンテンツの後に再生されるコンテンツについては冒頭を、それぞれ再生することを特徴とする再生装置。
【発明の詳細な説明】
【技術分野】
【０００１】
本発明は、定められた再生順序に従って複数のコンテンツを再生する装置に関する。
【背景技術】
【０００２】
下記の特許文献１には、曲の再生順番を規定する再生リストにおいて、再生中の曲およびその前後の曲の属性情報を表示する電子機器が開示されている。再生リスト内の曲の順番は、ユーザの操作により変更することができる。
【先行技術文献】
【特許文献】
【０００３】
【特許文献１】特開２００６−３２３９４１号公報
【発明の概要】
【発明が解決しようとする課題】
【０００４】
ところで、ユーザによっては、再生される曲等のコンテンツどうしの繋がりを意識して再生リストを作成する場合がある。しかし、近年の再生装置の記憶容量の増大に伴って、再生装置に格納されるコンテンツの数が膨大になる場合があり、ユーザは、コンテンツの名称や演奏者等のコンテンツの属性を見ても、そのコンテンツがどのような内容であったかを思い出せない場合がある。
【０００５】
本発明は上記事情を鑑みてなされたものであり、本発明の目的は、連続して再生されるコンテンツどうしの繋がりを意識した再生リストの作成を容易にすることにある。
【課題を解決するための手段】
【０００６】
上記課題を解決するために、本発明は、例えば、コンテンツを再生する再生装置であって、
複数のコンテンツを記憶するコンテンツ記憶部と、
複数のコンテンツの再生順序を規定する再生情報を記憶する再生情報記憶部と、
前記再生情報で規定される再生順序で、対応するコンテンツを前記コンテンツ記憶部から読み出して順次再生するコンテンツ再生部と、
ユーザからの指示に応じてコンテンツを特定するコンテンツ特定部と、
前記コンテンツ特定部によって特定されたコンテンツを含む複数のコンテンツの再生順序を変更し、変更後の再生順序を規定する再生情報を、前記再生情報記憶部に記憶させる再生順序変更部と、
前記再生情報で規定される再生順序が変更された場合に、当該再生順序において、前記コンテンツ特定部によって、前記ユーザからの指示に応じて特定されたコンテンツの前に再生されるコンテンツおよび後に再生されるコンテンツの、少なくともいずれか一方を再生する部分再生部と
を備えることを特徴とする再生装置を提供する。
【発明の効果】
【０００７】
本発明の再生装置によれば、連続して再生されるコンテンツどうしの繋がりを意識した再生順序を容易に作成することができる。
【図面の簡単な説明】
【０００８】
【図１】本発明の一実施形態に係る再生システム１０の構成を示すブロック図である。
【図２】コンテンツ記憶部２７が記憶するデータの構造の一例を示す図である。
【図３】再生情報記憶部２３が記憶する再生情報２３０のデータ構造の一例を示す図である。
【図４】コンテンツ再生装置２０の動作の一例を示すフローチャートである。
【図５】画像３０の構成の一例を示す概念図である。
【図６】再生リスト３１にコンテンツが追加される過程を説明するための概念図である。
【図７】再生リスト３１にコンテンツが追加される過程を説明するための概念図である。
【図８】再生リスト３１にコンテンツが追加される過程を説明するための概念図である。
【図９】再生リスト３１にコンテンツが追加される過程を説明するための概念図である。
【図１０】再生リスト３１の中で再生順序が変更される過程を説明するための概念図である。
【図１１】再生リスト３１の中で再生順序が変更される過程を説明するための概念図である。
【図１２】再生リスト３１の中で再生順序が変更される過程を説明するための概念図である。
【発明を実施するための形態】
【０００９】
以下、本発明の実施の形態について、図面を参照しながら説明する。
【００１０】
図１は、本発明の一実施形態に係る再生システム１０の構成を示すブロック図である。再生システム１０は、スピーカ１１、表示装置１２、入力装置１３、およびコンテンツ再生装置２０を備える。コンテンツ再生装置２０は、コンテンツ再生部２１、部分再生部２２、再生情報記憶部２３、再生順序変更部２４、コンテンツ特定部２５、再生順序表示指示部２６、およびコンテンツ記憶部２７を有する。
【００１１】
コンテンツ記憶部２７は、例えば図２に示すように、それぞれのコンテンツを識別するコンテンツ識別子２７０毎に、対応するコンテンツのコンテンツ本体２７１、および、対応するコンテンツに関する情報である属性情報２７２等を記憶している。本実施形態において、コンテンツは例えば楽曲であり、コンテンツ識別子は例えば曲名である。また、属性情報２７２には、例えば歌手名、演奏者名、収録されているアルバムの名称、および曲の長さ等の情報が含まれる。なお、コンテンツ識別子は、それぞれのコンテンツを識別可能な情報であれば、記号や数値等であってもよい。
【００１２】
再生情報記憶部２３は、再生情報２３０を記憶している。再生情報２３０には、例えば図３に示すように、それぞれのコンテンツの再生順序を示す番号２３１毎に、当該番号に対応する順番において再生されるべきコンテンツのコンテンツ識別子２３２が格納される。なお、再生情報２３０には、番号２３１毎に、当該番号に対応する順番において再生されるべきコンテンツへのアクセス先を示す情報が格納されていてもよい。また、再生情報は、複数のコンテンツの再生順序を規定する情報であればよく、番号によってそれぞれのコンテンツの再生順序を規定する他に、データ構造におけるそれぞれのコンテンツを特定する情報の並び順によって、それぞれのコンテンツの再生順序を規定するようにしてもよい。
【００１３】
コンテンツ再生部２１は、再生情報記憶部２３内の再生情報２３０で規定される再生順序に従って、再生すべきコンテンツのコンテンツ識別子を特定し、特定したコンテンツ識別子に対応するコンテンツ本体をコンテンツ記憶部２７から抽出する。そして、コンテンツ再生部２１は、抽出したコンテンツを、スピーカ１１を介して再生する。
【００１４】
再生順序表示指示部２６は、再生情報記憶部２３から再生情報を読み出し、読み出した再生情報を再生リストとして表示装置１２に表示させる。なお、再生情報が、番号毎に、当該番号に対応する順番において再生されるべきコンテンツへのアクセス先を示す情報が対応付けられた情報である場合、再生順序表示指示部２６は、それぞれのコンテンツのアクセス先からコンテンツの識別子を取得し、番号毎に、当該番号に対応する順番において再生されるべきコンテンツの識別子を対応付けて再生リストを作成して表示装置１２に表示させる。また、再生リストは、複数のコンテンツの再生順序を規定する情報であればよく、番号によってそれぞれのコンテンツの再生順序を規定する他に、コンテンツ識別子の配列によって、それぞれのコンテンツの再生順序を規定するようにしてもよい。
【００１５】
コンテンツ特定部２５は、コンテンツ記憶部２７を参照して、コンテンツ記憶部２７内に記憶されているコンテンツについて、コンテンツ識別子毎に属性情報が対応付けられたコンテンツリストを作成し、作成したコンテンツリストを表示装置１２に表示させる。
【００１６】
そして、コンテンツ特定部２５は、後述する方法で、作成したコンテンツリスト内において再生情報に加えるコンテンツのコンテンツ識別子、または、再生順序表示指示部２６が表示装置１２に表示させた再生リスト内において再生順序を変更するコンテンツのコンテンツ識別子を、ユーザからの指示に従って特定し、特定したコンテンツ識別子を再生順序変更部２４へ送る。なお、再生リスト内で特定したコンテンツ識別子に対応するコンテンツについては、コンテンツ特定部２５は、当該コンテンツの再生リスト内の再生順序を示す番号も再生順序変更部２４へ送る。
【００１７】
再生順序変更部２４は、再生順序表示指示部２６によって表示装置１２に表示された再生リスト内において、後述する方法で、コンテンツ特定部２５から受け取ったコンテンツ識別子に対応するコンテンツの前に再生されるべき第１のコンテンツの識別子、および、後に再生されるべき第２のコンテンツの識別子を特定する。
【００１８】
そして、再生順序変更部２４は、再生情報記憶部２３から再生情報を読み出し、コンテンツ特定部２５から受け取ったコンテンツ識別子に対応するコンテンツが、第１のコンテンツの次に再生され、かつ、第２のコンテンツの前に再生されるように、読み出した再生情報を変更する。そして、再生順序変更部２４は、変更した再生情報で、再生情報記憶部２３内の再生情報を更新し、第１のコンテンツの識別子および第２のコンテンツの識別子の少なくともいずれか一方を部分再生部２２へ送る。
【００１９】
なお、コンテンツ識別子と共に、再生リスト内の再生順序を示す番号をコンテンツ特定部２５から受け取った場合、再生順序変更部２４は、当該コンテンツ識別子に対応するコンテンツが、第１のコンテンツの次に再生され、かつ、第２のコンテンツの前に再生されるように、再生情報を変更すると共に、コンテンツ特定部２５から受け取った番号の前の番号で再生されるべきコンテンツの次に、コンテンツ特定部２５から受け取った番号の後の番号で再生されるべきコンテンツが再生されるように、再生情報を変更する。
【００２０】
部分再生部２２は、第１のコンテンツの識別子および第２のコンテンツの識別子の少なくともいずれか一方を再生順序変更部２４から受け取った場合に、受け取ったコンテンツ識別子に対応するコンテンツ本体をコンテンツ記憶部２７から抽出し、抽出したコンテンツ本体を、スピーカ１１を介して再生する。
【００２１】
なお、部分再生部２２は、抽出したそれぞれのコンテンツについて、例えば、冒頭から所定時間までの部分（冒頭部分）、末尾より所定時間前から末尾までの部分（末尾部分）、または特徴的な所定時間の部分（いわゆるサビの部分）等を再生することが好ましい。上記所定時間とは、例えば数秒間である。なお、部分再生部２２は、抽出したそれぞれのコンテンツを、冒頭から末尾まで再生してもよい。
【００２２】
また、部分再生部２２は、変更後の再生リストにおいて、コンテンツ特定部２５によって特定されたコンテンツの前に再生されるべきコンテンツの末尾部分、コンテンツ特定部２５によって特定されたコンテンツの冒頭部分、コンテンツ特定部２５によって特定されたコンテンツの末尾部分、コンテンツ特定部２５によって特定されたコンテンツの後に再生されるべきコンテンツの冒頭部分、の順にコンテンツを再生してもよい。
【００２３】
また、部分再生部２２は、変更後の再生リストにおいて、コンテンツ特定部２５によって特定されたコンテンツの前に再生されるべきコンテンツのサビの部分、コンテンツ特定部２５によって特定されたコンテンツのサビの部分、コンテンツ特定部２５によって特定されたコンテンツの後に再生されるべきコンテンツのサビの部分、の順にコンテンツを再生するようにしてもよい。
【００２４】
なお、図１に示したコンテンツ再生装置２０は、例えば、演算装置（ＣＰＵ）と、ＲＯＭまたはＲＡＭ等のメモリと、ハードディスク等の外部記憶装置と、タッチパネルやリモコン等の入力装置やモニタ等の出力装置との間でデータの送受信を行うインターフェイスとを備えるコンピュータにより実現することができる。
【００２５】
そして、コンテンツ再生装置２０が有する、コンテンツ再生部２１、部分再生部２２、再生順序変更部２４、コンテンツ特定部２５、および再生順序表示指示部２６の各機能は、メモリ上にロードされた所定のプログラムをＣＰＵが実行することにより実現される。また、再生情報記憶部２３およびコンテンツ記憶部２７は、コンテンツ再生装置２０を実現するコンピュータが備える、書換可能な不揮発性メモリ、あるいは、ハードディスク等の外部記憶装置によって実現される。
【００２６】
図４は、コンテンツ再生装置２０の動作の一例を示すフローチャートである。入力装置１３を介して、再生リストへのコンテンツの追加をユーザから指示された場合に、コンテンツ再生装置２０は、本フローチャートに示す動作を開始する。
【００２７】
まず、再生順序表示指示部２６は、再生情報記憶部２３から再生情報を読み出し、読み出した再生情報を再生リストとして表示装置１２に表示させる。また、コンテンツ特定部２５は、コンテンツ記憶部２７内に記憶されているコンテンツについて、コンテンツ識別子毎に属性情報が対応付けられたコンテンツリストを作成し、作成したコンテンツリストを表示装置１２に表示させる（Ｓ１００）。
【００２８】
ステップＳ１００の実行後、表示装置１２には、例えば図５に示すような画像３０が表示される。画像３０には、番号３１０毎にコンテンツ識別子３１１が対応付けられた再生リスト３１と、コンテンツ識別子３２０毎に属性情報３２１が対応付けられたコンテンツリスト３２とが表示される。
【００２９】
次に、コンテンツ特定部２５は、入力装置１３からの入力を監視して、コンテンツリスト３２内のコンテンツ識別子が選択されたか否かを判定する（Ｓ１０１）。例えば、図６に示すように、タッチパネルの入力装置１３を介して、コンテンツリスト３２内のコンテンツ識別子の領域３２２にユーザが触れた場合に、コンテンツ特定部２５は、当該領域３２２に表示されているコンテンツ識別子が選択されたと判定する。
【００３０】
コンテンツリスト３２内のコンテンツ識別子が選択された場合（Ｓ１０１：Ｙｅｓ）、コンテンツ特定部２５は、選択されたコンテンツ識別子を表示装置１２に反転表示させると共に、選択されたコンテンツ識別子を再生順序変更部２４へ送る。
【００３１】
次に、再生順序変更部２４は、コンテンツ特定部２５から受け取ったコンテンツ識別子に対応するコンテンツの前に再生されるべき第１のコンテンツの識別子、および、後に再生されるべき第２のコンテンツの識別子を特定できたか否かを判定する（Ｓ１０２）。
【００３２】
例えば図７に示すように、ユーザは、コンテンツリスト３２内のコンテンツ識別子を選択した後に、指をタッチパネルから離さずにタッチパネル上をなぞることにより、再生リストに加えるコンテンツを示すオブジェクト３２３を再生リスト３１上に移動させる。
【００３３】
そして、図８に示すように、追加するコンテンツを示すオブジェクト３２３が、再生リスト３１内の隣り合う２つのコンテンツ識別子の領域に接触した場合に、再生順序変更部２４は、当該２つのコンテンツ識別子のそれぞれに対応するコンテンツについて、再生リスト３１において先に再生されるべきコンテンツを第１のコンテンツ、後に再生されるべきコンテンツを第２のコンテンツとしてそれぞれ特定する。
【００３４】
そして、再生順序変更部２４は、再生リスト３１において、特定した第１のコンテンツの識別子、および、第２のコンテンツの識別子を、例えば反転表示する。図８に示した例では、識別子が「ｃｃｃｃｃ」のコンテンツが第１のコンテンツであり、識別子が「ｄｄｄｄｄ」のコンテンツが第２のコンテンツである。
【００３５】
次に、再生順序変更部２４は、再生情報記憶部２３から再生情報を読み出し、コンテンツ特定部２５から受け取ったコンテンツ識別子に対応するコンテンツが、第１のコンテンツの次に再生され、かつ、第２のコンテンツの前に再生されるように、読み出した再生情報を変更する（Ｓ１０３）。
【００３６】
次に、再生順序変更部２４は、変更した再生情報で、再生情報記憶部２３内の再生情報を更新し（Ｓ１０４）、第１のコンテンツの識別子および第２のコンテンツの識別子の少なくともいずれか一方を部分再生部２２へ送る。再生順序表示指示部２６は、変更された再生情報を再生情報記憶部２３から読み出して再生リストを作成し、作成した再生リストを表示装置１２に表示させる。コンテンツリスト３２内からコンテンツが加えられた後の再生リスト３１は、例えば図９のようになる。
【００３７】
次に、部分再生部２２は、再生順序変更部２４から受け取ったコンテンツ識別子に対応するコンテンツの本体をコンテンツ記憶部２７から抽出する。そして部分再生部２２は、抽出したコンテンツの本体を、スピーカ１１を介して再生し（Ｓ１０５）、コンテンツ再生装置２０は、本フローチャートに示した動作を終了する。
【００３８】
ステップＳ１０１において、コンテンツリスト３２内のコンテンツ識別子が選択されていない場合（Ｓ１０１：Ｎｏ）、コンテンツ特定部２５は、再生リスト３１内のコンテンツ識別子が選択されたか否かを判定する（Ｓ１０６）。再生リスト３１内のコンテンツ識別子が選択されていない場合（Ｓ１０６：Ｎｏ）、コンテンツ特定部２５は、再びステップＳ１０１に示した処理を実行する。
【００３９】
例えば、図１０に示すように、タッチパネルの入力装置１３を介して、再生リスト３１内のコンテンツ識別子の領域３２４にユーザが触れた場合に、コンテンツ特定部２５は、当該領域３２４に表示されているコンテンツ識別子が選択されたと判定する。
【００４０】
再生リスト３１内のコンテンツ識別子が選択された場合（Ｓ１０６：Ｙｅｓ）、コンテンツ特定部２５は、選択されたコンテンツ識別子を表示装置１２に反転表示させると共に、選択されたコンテンツ識別子と共に、当該識別子に対応するコンテンツの再生順序を示す番号を再生順序変更部２４へ送る。
【００４１】
次に、再生順序変更部２４は、コンテンツ特定部２５から受け取ったコンテンツ識別子に対応するコンテンツの前に再生されるべき第１のコンテンツの識別子、および、後に再生されるべき第２のコンテンツの識別子を特定できたか否かを判定する（Ｓ１０７）。例えば図１１に示すように、ユーザは、再生リスト３１内のコンテンツ識別子を選択した後に、指をタッチパネルから離さずにタッチパネル上をなぞることにより、再生順序を変更するコンテンツを示すオブジェクト３２５を再生リスト３１上で移動させる。
【００４２】
そして、図１０に示すように、オブジェクト３２５が再生リスト３１内の隣り合う２つのコンテンツ識別子の領域に接触した場合に、再生順序変更部２４は、当該２つのコンテンツ識別子のそれぞれに対応するコンテンツについて、再生リスト３１において先に再生されるべきコンテンツを第１のコンテンツ、後に再生されるべきコンテンツを第２のコンテンツとして特定する。
【００４３】
そして、再生順序変更部２４は、再生リスト３１において、特定した第１のコンテンツの識別子、および、第２のコンテンツの識別子を、例えば反転表示する。図１１に示した例では、識別子が「ｄｄｄｄｄ」のコンテンツが第１のコンテンツであり、識別子が「ｅｅｅｅｅ」のコンテンツが第２のコンテンツである。
【００４４】
次に、再生順序変更部２４は、再生情報記憶部２３から再生情報を読み出し、コンテンツ特定部２５から受け取ったコンテンツ識別子に対応するコンテンツが、第１のコンテンツの次に再生され、かつ、第２のコンテンツの前に再生されるように、読み出した再生情報を変更し、さらに、コンテンツ特定部２５から受け取った番号の前の番号で再生されるべきコンテンツの次に、コンテンツ特定部２５から受け取った番号の後の番号で再生されるべきコンテンツが再生されるように、再生情報を変更する（Ｓ１０８）。そして、再生順序変更部２４は、ステップＳ１０４に示した処理を実行する。
【００４５】
図１１に示した例では、コンテンツ特定部２５から受け取ったコンテンツ識別子が「ｂｂｂｂｂ」であり、コンテンツ特定部２５から受け取った番号の前の番号で再生されるべきコンテンツの識別子が「ｄｄｄｄｄ」であり、コンテンツ特定部２５から受け取った番号の後の番号で再生されるべきコンテンツの識別子が「ｅｅｅｅｅ」である。再生順序が変更された後の再生リスト３１は、例えば図１２のようになる。
【００４６】
このように、コンテンツ再生装置２０は、コンテンツリストからコンテンツが追加された場合には、変更後の再生順序において、追加されたコンテンツの前に再生されるべきコンテンツおよび後に再生されるべきコンテンツの、少なくともいずれか一方のコンテンツを再生し、再生リスト内においてコンテンツの再生順序が変更された場合には、変更後の再生順序において、ユーザに指定されたコンテンツの前に再生されるべきコンテンツおよび後に再生されるべきコンテンツの、少なくともいずれか一方のコンテンツを再生する。そのため、コンテンツ再生装置２０は、コンテンツの繋がりを意識した再生順序を容易にかつ効率的に作成することができる。
【００４７】
以上、本発明の実施の形態について説明した。
【００４８】
なお、本発明は、上記した実施形態に限定されるものではなく、その要旨の範囲内で数々の変形が可能である。
【００４９】
例えば、上記した実施形態においてコンテンツとは例えば楽曲であるが、本発明はこれに限られず、映像、音声、文字、またはこれらと楽曲との組み合せ等であってもよい。
【００５０】
また、上記した実施形態において、コンテンツ再生装置２０は、既にある再生リストにおいて、コンテンツ識別子とコンテンツ識別子の間に、新たに追加するコンテンツの識別子を挿入することにより、再生リスト内に追加されるコンテンツの再生順序を特定するが、本発明はこれに限られず、再生リストの先頭や末尾に、新たにコンテンツ識別子を追加することも可能である。ただし、再生リストの先頭にコンテンツ識別子を新たに追加する場合には、部分再生部２２は、追加対象のコンテンツの次に再生されるべきコンテンツを再生する。また、再生リストの末尾にコンテンツ識別子を新たに追加する場合には、部分再生部２２は、追加対象の前に再生されるべきコンテンツを再生する。
【００５１】
また、上記した実施形態において、コンテンツ再生装置２０は、再生リストに追加されるべきコンテンツの識別子が選択された後に、再生リスト内に追加するコンテンツの再生順序を特定するが、本発明はこれに限られず、再生リスト内における再生順序を特定した後に、追加されるべきコンテンツを特定するようにしてもよい。
【符号の説明】
【００５２】
１０・・・再生システム、１１・・・スピーカ、１２・・・表示装置、１３・・・入力装置、２０・・・コンテンツ再生装置、２１・・・コンテンツ再生部、２２・・・部分再生部、２３・・・再生情報記憶部、２３０・・・再生情報、２４・・・再生順序特定部、２５・・・コンテンツ特定部、２６・・・再生順序表示指示部、２７・・・コンテンツ記憶部、３０・・・画像、３１・・・再生リスト、３２・・・コンテンツリスト
【図１】
2011233182.tif 000003
【図２】
2011233182.tif 000004
【図３】
2011233182.tif 000005
【図４】
2011233182.tif 000006
【図５】
2011233182.tif 000007
【図６】
2011233182.tif 000008
【図７】
2011233182.tif 000009
【図８】
2011233182.tif 000010
【図９】
2011233182.tif 000011
【図１０】
2011233182.tif 000012
【図１１】
2011233182.tif 000013
【図１２】
2011233182.tif 000014